(57)【要約】【課題】  サーボ特性を悪化させる共振ピークを低減し、不要な振動を抑制する。【解決手段】  対物レンズ１４を保持する可動部１２と、可動部１２を対物レンズ１４のフォーカシング方向及びトラッキング方向に移動可能に支持する弾性支持部材１６と、弾性支持部材１６の基端部側を固定する固定部１１とを備え、弾性支持部材１６の可動部１２への支持部に、動吸振手段５０が設けられる。【選択図】  図３
2007066402.tif 000002
【特許請求の範囲】
【請求項１】
対物レンズを保持する可動部と、
上記可動部を上記対物レンズのフォーカシング方向及びトラッキング方向に移動可能に支持する弾性支持部材と、
上記弾性支持部材の基端部側を固定する固定部とを備え、
上記弾性支持部材の上記可動部への支持部に、動吸振手段が設けられている対物レンズ駆動装置。
【請求項２】
上記動吸振手段は、上記支持部の基部を細径とした弾性変位部を形成するとともに、上記支持部の先端部に重量部を形成することにより構成される請求項１記載の対物レンズ駆動装置。
【請求項３】
上記重量部は、上記弾性支持部材が固定される固定部である請求項２記載の対物レンズ駆動装置。
【請求項４】
上記重量部は、上記弾性変位部に対して振動方向の寸法を大きく形成される請求項２記載の対物レンズ駆動装置。
【請求項５】
ディスク回転駆動手段に回転操作される光ディスクの半径方向へ移動される移動ベースと、該移動ベースに配置された対物レンズ駆動装置とを備える光ピックアップにおいて、
上記対物レンズ駆動装置は、対物レンズを保持する可動部と、
上記可動部を上記対物レンズのフォーカシング方向及びトラッキング方向に移動可能に支持する弾性支持部材と、
上記弾性支持部材の基端部側を固定する固定部とを備え、
上記弾性支持部材の上記可動部への支持部に、動吸振手段が設けられている光ピックアップ。
【請求項６】
光ディスクが回転操作されるディスク回転駆動手段と、該ディスク回転駆動手段に回転操作される光ディスクに対して対物レンズを介して光ビームを照射する光ピックアップとを備え、上記光ピックアップは、上記光ディスクの半径方向へ移動される移動ベースと、該移動ベースに配置された対物レンズ駆動装置とを有する光ディスク装置において、
上記対物レンズ駆動装置は、対物レンズを保持する可動部と、
上記可動部を上記対物レンズのフォーカシング方向及びトラッキング方向に移動可能に支持する弾性支持部材と、
上記弾性支持部材の基端部側を固定する固定部とを備え、
上記弾性支持部材の上記可動部への支持部に、動吸振手段が設けられている光ディスク装置。
【発明の詳細な説明】
【技術分野】
【０００１】
本発明は、光ディスク等の情報記録媒体に対して記録及び／又は再生を行う光ピックアップに用いられ、可動部をフォーカシング方向及びトラッキング方向に動作させる対物レンズ駆動装置、並びに、これを用いた光ピックアップ及び光ディスク装置に関する。
【背景技術】
【０００２】
光ディスク等の情報記録媒体に対して情報信号の記録・再生を行う光ディスク装置があり、このような光ディスク装置には、光ディスクの半径方向へ移動され該光ディスクに対して光ビームを照射する光ピックアップが設けられている。
【０００３】
光ピックアップには、対物レンズ駆動装置が設けられており、この対物レンズ駆動装置によって、その可動部に保持された対物レンズを光ディスクの信号記録面に離間・近接する方向であるフォーカシング方向に動作させてフォーカシング調整を行うとともに、対物レンズを光ディスクの略半径方向であるトラッキング方向へ動作させてトラッキング調整を行い、対物レンズを介して光ディスクに照射される光ビームのスポット調整を行い、対物レンズを介して光ディスクに照射される光ビームのスポットが光ディスクの記録トラックに集光されるようにしている。
【０００４】
かかる光ピックアップの対物レンズ駆動装置は、可動部の重量、弾性支持部材の弾性係数により図７の曲線Ｇ２に示すような周波数特性を有する。そして、この光ピックアップにおいて、可動部の弾性振動に起因する共振ピークが生じてしまい、この共振ピークにより、特にフォーカスサーボ特性を悪化させ、光ディスクに対する記録及び／又は再生を妨げるおそれがあった。
【発明の開示】
【発明が解決しようとする課題】
【０００５】
本発明の目的は、サーボ特性を悪化させる共振ピークを低減することができ、不要な振動を抑制することができる対物レンズ駆動装置、光ピックアップ及び光ディスク装置を提供することにある。
【課題を解決するための手段】
【０００６】
この目的を達成するため、本発明に係る対物レンズ駆動装置は、対物レンズを保持する可動部と、上記可動部を上記対物レンズのフォーカシング方向及びトラッキング方向に移動可能に支持する弾性支持部材と、上記弾性支持部材の基端部側を固定する固定部とを備え、上記弾性支持部材の上記可動部への支持部に、動吸振手段が設けられている。
【０００７】
また、上述の目的を達成するため、本発明に係る光ピックアップは、ディスク回転駆動手段に回転操作される光ディスクの半径方向へ移動される移動ベースと、該移動ベースに配置された対物レンズ駆動装置とを備える光ピックアップであって、対物レンズ駆動装置として、上述したようなものを用いたものである。
【０００８】
さらに、上述の目的を達成するため、本発明に係る光ディスク装置は、光ディスクが回転操作されるディスク回転駆動手段と、該ディスク回転駆動手段に回転操作される光ディスクに対して対物レンズを介して光ビームを照射する光ピックアップとを備え、光ピックアップは、光ディスクの半径方向へ移動される移動ベースと、該移動ベースに配置された対物レンズ駆動装置とを有する光ディスク装置であって、対物レンズ駆動装置として、上述したようなものを用いたものである。
【発明の効果】
【０００９】
本発明に係る対物レンズ駆動装置、光ピックアップ及び光ディスク装置は、対物レンズを保持する可動部を支持する弾性支持部材の可動部への支持部に動吸振手段を設けたことにより、動吸振手段が持つ固有の振動数が可動部の振動のダンパーとして機能し、サーボ特性を悪化させる共振ピークを低減することができ、不要な振動を効果的に抑制することができる。
【発明を実施するための最良の形態】
【００１０】
以下、本発明を適用した光ディスク装置について、図面を参照して説明する。
【００１１】
本発明を適用した光ディスク装置１は、図１に示すように、光ディスク２に対して情報を記録及び／又は再生するものである。この光ディスク装置１で記録及び／又は再生を行う光ディスク２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００１２】
具体的に、光ディスク装置１は、図１に示すように、筐体３を備え、筐体３には、図示しないディスク挿入口と、シャーシと、シャーシに取り付けられ光ディスクを回転操作するディスク回転駆動手段４と、シャーシに取り付けられた平行なガイド軸５により光ディスク２の半径方向へ移動可能に支持された光ピックアップ７とを備える。筐体３の側面下部には、複数の通気口３ａが形成されている。
【００１３】
光ピックアップ７は、図２に示すように、所定の波長の光ビームを出射する光源２０と、光源２０から出射された光ビームを光ディスク２に照射するとともに光ディスク２で反射された戻り光を検出するため光学系を構成する所要の光学部品と、これらの光学部品を配置する移動ベース８と、この移動ベース８上に配置された対物レンズ駆動装置９とを備える。光源２０は、半導体レーザであり、レーザホルダー２０ａに保持されている。対物レンズ駆動装置９には、カバー９ａが設けられている。
【００１４】
移動ベース８は、その両端部に軸受部８ａ、８ｂを有し、この軸受部８ａ、８ｂがそれぞれガイド軸５に摺動自在に支持されている。移動ベース８に設けられた図示しないラック部材がリードスクリューに螺合され、送りモータによってリードスクリューが回転されると、ラック部材がリードスクリューの回転方向へ応じた方向へ送られ、光ピックアップ７が光ディスク２の半径方向へ移動される。
【００１５】
また、光ピックアップ７は、図２に示すように、光ディスク２の回転面２ａと略平行に相対向して所定間隔離間されて配置されることにより第１の空気流通路２１を形成する一対の放熱板２２，２３と、一方の放熱板２３と相対向して所定間隔ｃ離間して配置されることにより第２の空気流通路２５を形成する電子回路形成基板２４と、第１の空気流通路２１内に空気を流入させるための開口部２８とを有する。一対の放熱板２２，２３は、放熱性に優れた材料で形成され、光ピックアップ７内に発生する熱を効果的に放熱することができる。
【００１６】
対物レンズ駆動装置９は、図３に示すように、ヨークベース１０と、対物レンズ１４を保持するレンズホルダ１５を有する可動部１２と、可動部１２を対物レンズ１４のフォーカシング方向ＦＣＳ及びトラッキング方向ＴＲＫに移動可能に支持するとともに、光ディスク接線方向であり、フォーカシング方向ＦＣＳ及びトラッキング方向ＴＲＫと直交するタンジェンシャル方向ＴＡＮに平行な面に対して傾斜するチルト方向ＴＩＬに傾斜可能に支持する複数の弾性支持部材１６と、可動部１２に対して対物レンズ１４のタンジェンシャル方向ＴＡＮに間隔を有して配置され、弾性支持部材１６の基端部側１６ａを固定する固定部１１とを備える。
【００１７】
ヨークベース１０は、磁性金属材料、例えば、ＳＰＣＣ（冷間圧延鋼板）、珪素鋼板等によって形成され、図３に示すように、移動ベース８上に固定されたベース部１０ａと、該ベース部１０ａからそれぞれ直角に立ち曲げられて形成されたヨーク部１０ｂ，１０ｃとからなる。ヨーク部１０ｂ，１０ｃは、前後方向、すなわち、光ディスク２のタンジェンシャル方向ＴＡＮに離間して設けられている。
【００１８】
ヨーク部１０ｂ，１０ｃの互いに対向する面、すなわち、レンズホルダ１５に臨む面には、それぞれ第１及び第２のマグネット３１，３２が取り付けられている。
【００１９】
第１のマグネット３１は、図３及び図４に示すように、レンズホルダ１５に対してタンジェンシャル方向ＴＡＮに対向して配置され、フォーカシング方向ＦＣＳの境界線３１ａによりトラッキング方向ＴＲＫに２分割した後に、それぞれの分割領域をフォーカシング方向ＦＣＳの境界線３１ｂ、３１ｃ及びトラッキング方向ＴＲＫの境界線３１ｄ，３１ｅに分割されてそれぞれ磁化方向をタンジェンシャル方向ＴＡＮに向けて着磁された第１乃至第４の分割領域３３，３４，３５，３６を有する。
【００２０】
第１のマグネット３１において、レンズホルダ１５に対向する面側の第１乃至第４の分割領域３３，３４，３５，３６は、レンズホルダ１５側から臨む状態で、左上及び右下に配置された第１及び第４の分割領域３３，３６がＳ極とされ、レンズホルダ１５側から臨む状態で、右上及び左下に配置された第２及び第３の分割領域３４，３５がＮ極とされている。
【００２１】
第２のマグネット３２は、第１のマグネット３１に対してタンジェンシャル方向ＴＡＮに対向して配置され、第１のマグネット３１と同一形状に分割された分割領域を有するものであり、第１のマグネット３１に対して反転着磁されている。
【００２２】
固定部１１は、ベース上に固定され、固定部１１の背面には、左右両端部に設けられた複数の接続部１８を有する中継基板が設けられており、この接続部１８には、それぞれ弾性支持部材１６の一端部１６ａが例えば、半田により接続される。弾性支持部材１６の一端部１６ａは、固定部１１の背面のトラッキング方向ＴＲＫの両端部に、フォーカシング方向ＦＣＳに離間して片側３箇所、合計６箇所に配置されている。また、固定部１１には、弾性支持部材１６の振動を抑制するための粘弾性部材１９が設けられている。
【００２３】
複数の弾性支持部材１６は、固定部１１の背面の各接続部１８を介して給電用基板の各接続線に接続されている。弾性支持部材１６は、固定部１１からタンジェンシャル方向ＴＡＮであって可動部１２に設けて突出するよう配置されている。
【００２４】
可動部１２は、対物レンズ１４と、対物レンズ１４を保持するレンズホルダ１５とを有する。レンズホルダ１５には、図３及び図５に示すように、光ディスク２の略半径方向であるトラッキング方向ＴＲＫに駆動力を発生させる第１及び第２のトラッキングコイル４１，４２と、光ディスク２に離間及び近接する方向であるフォーカシング方向ＦＣＳに駆動力を発生させる第１乃至第４のフォーカシングコイル４５，４６，４７，４８とが設けられている。
【００２５】
第１のトラッキングコイル４１は、図４に示すように、第１のマグネット３１のトラッキング方向ＴＲＫに隣接する第１及び第２の分割領域３３，３４とにより発生する磁界と、第１のトラッキングコイル４１自体に流される電流とによりトラッキング方向ＴＲＫに駆動力を発生させる。
【００２６】
また、第２のトラッキングコイル４２も同様に、第２のマグネット３２の分割領域により発生する磁界と、第２のトラッキングコイル４２に流される電流とに対応してトラッキング方向ＴＲＫに駆動力を発生させる。
【００２７】
第１及び第２のフォーカシングコイル４５，４６は、それぞれ、図４に示すように、第１のマグネット３１のフォーカシング方向ＦＣＳに隣接する第１及び第３の分割領域３３，３５と、第１のマグネット３１のフォーカシング方向ＦＣＳに隣接する第２及び第４の分割領域３４，３６とに対応してフォーカシング方向ＦＣＳに駆動力を発生させる。
【００２８】
すなわち、第１のフォーカシングコイル４５は、第１のマグネット３１の第１及び第３の分割領域３３，３５に対向する位置に配置され、タンジェンシャル方向ＴＡＮであって反対方向に着磁された第１及び第３の分割領域３３，３５により発生する磁界と、第１のフォーカシングコイル４５自体に流される電流とにより、フォーカシング方向ＦＣＳに駆動力を発生させる。
【００２９】
第２のフォーカシングコイル４６は、第１のマグネット３１の第２及び第４の分割領域３４，３６に対向する位置に配置され、タンジェンシャル方向ＴＡＮであって反対方向に着磁された第２及び第４の分割領域３４，３６により発生する磁界と、第２のフォーカシングコイル４６自体に流される電流とにより、フォーカシング方向ＦＣＳに駆動力を発生させる。
【００３０】
また、第３及び第４のフォーカシングコイル４７，４８も同様に、第２のマグネット３２の分割領域により発生する磁界と、第３及び第４のフォーカシングコイル４７，４８に流される電流とに対応してフォーカシング方向ＦＣＳに駆動力を発生させる。
【００３１】
また、第１及び第２のフォーカシングコイル４５，４６、並びに、第３及び第４のフォーカシングコイル４７，４８は、流される電流が調整されて、それぞれのフォーカシング方向ＦＣＳの駆動力を変化させることにより、チルト方向ＴＩＬに駆動力を発生させることができる。
【００３２】
弾性支持部材１６には、電源回路から中継基板の各接続部１８を介して、チルト調整を含むフォーカシング調整用及びトラッキング調整用の駆動電流が供給される。従って、複数の弾性支持部材１６は、給電部材として機能する。
【００３３】
以上のように構成された対物レンズ駆動装置９において、電源回路から、中継基板、及び弾性支持部材１６を介して第１及び第２のトラッキングコイル４１，４２並びに第１乃至第４のフォーカシングコイル４５〜４８に駆動電流が供給されると、これらの駆動電流の向き及び大きさと、第１及び第２のマグネット３１，３２並びにヨーク部１０ｂ、１０ｃにより発生する磁束との関係によって、可動部１２がフォーカシング方向ＦＣＳ、トラッキング方向ＴＲＫ、チルト方向ＴＩＬに移動される。よって、この対物レンズ駆動装置９は、このフォーカシング調整、トラッキング調整及びチルト調整の３軸調整により、光ビームのスポットの記録トラックに対する追従性を向上させる。また、可動部１２がフォーカシング方向ＦＣＳ、トラッキング方向ＴＲＫ、及びチルト方向ＴＩＬへ動作されるときには、弾性支持部材１６が弾性変形される。
【００３４】
以上のように構成された光ディスク装置１において、光ディスク２が装着されたとき、ディスク回転駆動手段４が光ディスク２を回転操作し、光ピックアップ７を光ディスク２の半径方向へ所望の記録トラックに対応する位置に移動されて光ディスク２に対する記録動作又は再生動作が行われる。
【００３５】
この記録動作及び再生動作において、第１及び第２のトラッキングコイル４１、４２に駆動電流が供給されると、上述したように、対物レンズ駆動装置９の可動部１２が固定部１１に対して図３に示すトラッキング方向ＴＲＫへ動作され、光源２０から出射され対物レンズ１４を介して照射される光ビームのスポットが光ディスク２の記録トラック上に集光するようにトラッキング調整がなされる。
【００３６】
また、第１乃至第４のフォーカシングコイル４５〜４８に駆動電流が供給されると、上述したように、対物レンズ駆動装置９の可動部１２が固定部１１に対して図３に示すフォーカシング方向ＦＣＳへ動作され、光源２０から出射され対物レンズ１４を介して照射される光ビームのスポットが光ディスク２の記録トラック上に集光するようにフォーカシング調整がなされる。
【００３７】
さらに、第１及び第４のフォーカシングコイル４５，４８と、第２及び第３のフォーカシングコイル４６，４７とに供給される駆動電流の大きさを変えることで、上述したように、対物レンズ駆動装置９の可動部１２が固定部１１に対して図３に示すチルト方向ＴＩＬへ動作され、光源２０から出射された対物レンズ１４を介して照射される光ビームのスポットが光ディスク２の面振れ等に対応して略垂直に集光するようにチルト調整がなされる。
【００３８】
可動部１２のレンズホルダ１５は、樹脂材料により形成されており、レンズホルダ１５の側面部には、複数の弾性支持部材１６をそれぞれ支持する複数の支持部５１と、給電を行うための複数の給電支持部５５とが一体に設けられている。尚、ここで、支持部材１６は、可動部１２に一体に形成されたが別部材により構成されてもよい。
【００３９】
弾性支持部材１６の可動部１２への支持部には、動吸振手段５０が設けられている。この動吸振手段５０は、支持部材５１の基部を細径とした弾性変位部５２を形成するとともに、支持部材５１の先端部に重量部として固定部５３を形成することにより構成される。この固定部５３は、弾性支持部材１６を可動部１２に固定する。また、この重量部としての固定部５３は、弾性変位部５２に対して振動方向の寸法を大きく形成される。
【００４０】
すなわち、固定部５３は、タンジェンシャル方向ＴＡＮの寸法Ｌ１及びフォーカシング方向ＦＣＳの寸法Ｌ３が、可動部１２側の基部に形成した弾性変位部５２のタンジェンシャル方向ＴＡＮの寸法Ｌ２及びフォーカシング方向ＦＣＳの寸法Ｌ４に対して、次式（１）、（２）に示すように、大きく形成されている。
Ｌ１＞Ｌ２  ・・・（１）
Ｌ３＞Ｌ４  ・・・（２）
【００４１】
このように、固定部５３は、弾性変位部５２に対してトラッキング方向ＴＲＫの断面の断面積を大きく形成され、さらに、弾性変位部５２に対してトラッキング方向ＴＲＫの断面の単位重量を大きくすることができる。
【００４２】
動吸振手段５０である支持部材５１は、基部に設けられた弾性変位部５２と、弾性変位部５２より外側に重量が大きくなるように形成された固定部５３により、可動部１２が振動したときに、この支持部材５１が持つ固有の振動数が可動部１２の振動のダンパーとして機能し、サーボ特性を悪化させる共振ピークを低減することができ、不要な振動を効果的に抑制する。換言すると、振動部材５１は、その形状、材料の比重、剛性により決定されるそのバネ定数及び重量から、可動部１２の振動に対して異なる周期で振動することになり、可動部１２の振動ダンパーとして機能して振動を抑制することができる。
【００４３】
このように、対物レンズ駆動装置９の動吸振手段５０は、主要な振動方向であるフォーカシング方向に直交するトラッキング方向に形成された支持部材５１の先端側の単位重量を大きくすることにより、振動のダンパーとしての機能を発揮して、可動部１２の振動を抑制することができる。
【００４４】
ここで、本発明を適用した対物レンズ駆動装置９の動吸振手段５０が、可動部１２の共振ピークを低減することができることについて図６及び図７を用いて説明する。尚、本発明を適用した動吸振手段５０としての支持部材５１と比較するために、図６（ｂ）に比較例の支持部材１０１について説明する。
【００４５】
比較例の支持部材１０１は、可動部１２の側面部にトラッキング方向ＴＲＫの断面が略均一な矩形状とされ、その先端側で弾性支持部材１６を可動部１２に固定するものである。
【００４６】
図６（ａ）及び図６（ｂ）に示すような支持部材５１，１０１をそれぞれを有する対物レンズ駆動装置の可動部１２に与えるフォーカシング方向ＦＣＳの推力からフォーカスエラー信号までの伝達関数の周波数特性を図７に示す。尚、ここでは、フォーカシング方向の伝達関数について説明するが、本発明の効果は、トラッキング方向及びチルト方向の伝達関数についても同様である。図７中、横軸は、周波数を示すものであり、縦軸は、ゲインを示すものであり、曲線Ｇ１は、本発明を適用した対物レンズ駆動装置９の動吸振手段５０としての支持部材５１を用いた場合の周波数特性を示すものであり、曲線Ｇ２は、比較例の支持部材１０１を用いた場合の周波数特性を示すものである。
【００４７】
図７に示すように、比較例の支持部材１０１を用いた対物レンズ駆動装置の周波数特性Ｇ２は、可動部１２の弾性振動に起因する共振ピークＰ２が生じている。この共振ピークがフォーカスサーボ特性を悪化させ、光ディスクの情報の記録及び／又は再生を妨げる可能性がある。
【００４８】
これに対して、動吸振手段５０としての支持部材５１を用いた対物レンズ駆動装置９の周波数特性Ｇ１は、可動部の弾性振動に起因する共振ピークが、ダンパーとして機能する動吸振手段により、ピークゲインを低減された共振ピークＰ１１，Ｐ１２と２箇所に出現するようになるが、ピークゲインが低減されていることからこの共振ピークがフォーカスサーボ特性を悪化させることはなく、光ディスクの情報の記録及び／又は再生を妨げることを防止することができる。
【００４９】
このように、動吸振手段５０は、動吸振手段の固有の振動数により可動部１２の振動のダンパーとして機能し、サーボ特性を悪化させる共振ピークを低減することができ、可動部１２の不要な振動を抑制することができる。
【００５０】
尚、上述の動吸振手段５０となる支持部材５１は、先端側の固定部５３のタンジェンシャル方向ＴＡＮ及びフォーカシング方向ＦＣＳの寸法を、基部側の弾性変位部５２のタンジェンシャル方向ＴＡＮ及びフォーカシング方向ＦＣＳの寸法を大きくするように構成したが、これに限られるものではなく、少なくともいずれか一方の寸法を大きく構成するようにすればよい。換言すると、振動方向を含む断面、すなわち、ここでは、トラッキング方向ＴＲＫの断面の断面積を大きく形成し、トラッキング方向ＴＲＫの断面の単位重量を大きくすればよい。例えば、先端側の固定部の振動方向であるフォーカシング方向ＦＣＳの寸法を基部側である弾性変位部のフォーカシング方向ＦＣＳの寸法より大きくするようにしてもよい。
【００５１】
さらに、動吸振手段５０となる支持部材５１は、トラッキング方向ＴＲＫの断面積を変えずに材料を変更することにより、先端部の単位重量を基部の単位重量より大きくするように構成してもよい。
【００５２】
本発明を適用した対物レンズ駆動装置９は、対物レンズ１４を保持する可動部１２を支持する弾性支持部材１６の可動部１２への支持部に動吸振手段５０を設けたことにより、動吸振手段５０が持つ固有の振動数が可動部１２の振動のダンパーとして機能し、サーボ特性を悪化させる共振ピークを低減することができ、不要な振動を効果的に抑制することができる。よって、本発明を適用した対物レンズ駆動装置９は、弾性振動の発生を抑え、位置決め精度を高くすることが可能となる。
【００５３】
また、本発明を適用した光ピックアップ７は、上述の対物レンズ駆動装置９を備えるので、ダンパーとして機能する動吸振手段５０が可動部１２の不要な振動を効果的に抑制するので、光ディスクに対する良好な記録、再生を実現できる。
【００５４】
また、本発明を適用した記録再生装置１は、上述の対物レンズ駆動装置９を備えるので、ダンパーとして機能する動吸振手段５０が可動部１２の不要な振動を効果的に抑制するので、光ディスクに対する良好な記録、再生を実現できる。
【００５５】
尚、上述の対物レンズ駆動装置９では、対物レンズ１４を保持する可動部１２をフォーカシング方向ＦＣＳ、トラッキング方向ＴＲＫ及びチルト方向ＴＩＬに３軸調整して動作するものとして説明したが、本発明の対物レンズ駆動装置、並びにこれを用いた光ピックアップ並びに記録再生装置では、これに限られるものではなく、可動部をフォーカシング方向ＦＣＳ及びトラッキング方向ＴＲＫに移動可能に支持するように構成してもよい。
【図面の簡単な説明】
【００５６】
【図１】本発明を適用した光ディスク装置を示す斜視図である。
【図２】本発明を適用した光ピックアップを示す斜視図である。
【図３】本発明を適用した対物レンズ駆動装置の斜視図である。
【図４】本発明を適用した対物レンズ駆動装置のマグネット、フォーカシングコイル及びトラッキングコイルの関係を示す平面図である。
【図５】本発明を適用した対物レンズ駆動装置の可動部を示す斜視図である。
【図６】（ａ）は、本発明を適用した対物レンズ駆動装置の動吸振手段となる支持部材を示す斜視図であり、（ｂ）は、この支持部材と比較するための比較例の支持部材を示す斜視図である。
【図７】本発明を適用した対物レンズ駆動装置及び比較例の対物レンズ駆動装置の可動部に与えるフォーカシング方向の推力からフォーカスエラー信号までの伝達関数の周波数特性を示す図である。
【符号の説明】
【００５７】
１  光ディスク装置、  ２  光ディスク、  ３  筐体、  ４  ディスク回転駆動手段、  ５  ガイド軸、  ７  光ピックアップ、  ８  移動ベース、  ９  対物レンズ駆動装置、  １０  ヨークベース、  １１  固定部、  １２  可動部、  １４  対物レンズ、  １５  レンズホルダ、  １６  弾性支持部材、  ３１  第１のマグネット、  ３２  第２のマグネット、  ４１、４２  第１及び第２のトラッキングコイル、  ４５〜４８  第１乃至第４のフォーカシングコイル
【図１】
2007066402.tif 000003
【図２】
2007066402.tif 000004
【図３】
2007066402.tif 000005
【図４】
2007066402.tif 000006
【図５】
2007066402.tif 000007
【図６】
2007066402.tif 000008
【図７】
2007066402.tif 000009